(57)【要約】【課題】カレント音声モード信号でカウントダウン情報が無く送出される放送信号の音声モード切り換えを円滑にする音声モード制御システム、および音声モード切り換え方法を提供する。【解決手段】ＲＴＰ２１は、ＳＣＰ３から入力された番組送出情報を元にイベントタイムテーブルＴＴを生成し、カウントダウン信号が得られない場合にも局間制御信号のトリガ信号を利用して、次の番組切り換えタイミングに先立ち、音声モードを指定しないままから次の放送の放送信号の音声モード切り換え信号をＥＮＣ５へ出力し、ＥＮＣ５は、音声モード切り換えの待機状態に入る。ＲＴＰ２１は続いて所定の番組切り換えタイミングに放送信号を切り換えると共に、その新たな放送信号に設定された音声モードを指定した音声モード切り換え信号をＥＮＣ５へ送信し、待機しているＥＮＣ５が円滑に音声モードの切り換えを行う。【選択図】図１
2008118564.tif 000002
【特許請求の範囲】
【請求項１】
発局から伝送されるデジタル放送の放送信号を受信し、前記受信する放送信号から放送局間制御データを抽出して出力する補助データ抽出手段を備え、その抽出される放送局間制御データと予め定められた番組送出情報とを参照することにより、番組の切り換えタイミングにスイッチャ、符号化装置を制御して送信する放送信号の音声モードを切り換えて送信器へ向けて出力する音声モード制御システムにおいて、
前記補助データ抽出手段から前記放送局間制御データが入力され、そのうち音声信号のカレントおよびネクスト音声モード、カウントダウンの音声モード切り換え情報を出力する第１の制御手段と、
前記番組送出情報によりスイッチ制御信号を生成して前記スイッチャの切り換えタイミングを制御するとともに前記第１の制御手段から入力される前記音声モード切り換え情報と前記番組送出情報とを参照し、送信中の放送信号が、前記音声モード切り換え情報が入力されている場合、その音声モード切り換え情報に従って、音声モード切り換え信号を生成して前記符号化装置へ出力し、前記第１の制御手段から前記音声モード切り換え情報が入力されない場合、予め前記第１の制御手段を介して切り換え前に送信していた放送信号の前記放送局間制御データに含まれるトリガ信号を読み出し、前記番組送出情報による番組切り換えタイミングの前に前記トリガ信号が入力されるタイミングとの時間差を求めて設定したタイミングに、次番組への番組切り換えタイミングに先立って音声モード指定が無い音声モード切り換え信号を生成して前記符号化装置へ出力し、次番組への切り換えタイミングに新たに前記第１の制御手段から入力されるカレントモードの音声モードを指定した音声モード切り換え信号を生成して前記符号化装置へ出力する第２の制御手段とを備える制御部
とを具備することを特徴とする音声モード制御システム。
【請求項２】
発局から伝送されるデジタル放送の放送信号を受信し、前記受信する放送信号から放送局間制御データを抽出して出力する補助データ抽出手段と、音声モード切り換え制御を行う制御部とを備え、その抽出される放送局間制御データと予め定められた番組送出情報とを参照することにより、番組の切り換えタイミングにスイッチャ、符号化装置を制御して送信する放送信号の音声モードを切り換えて送信器へ向けて出力する音声モード制御システムの音声モード切り換え方法において、
前記制御部は、
前記番組送出情報によりスイッチ制御信号を生成して前記スイッチャの切り換えタイミングを制御するとともに、
前記放送局間制御データが入力され、それに含まれる音声信号のカレントおよびネクスト音声モード、カウントダウンの音声モード切り換え情報を読み出し、
前記読み出した前記音声モード切り換え情報と前記番組送出情報とを参照し、送信中の放送信号に前記補助データが入力され、前記音声モード切り換え情報がある場合、その音声モード切り換え情報に従って、音声モード切り換え信号を生成して前記符号化装置へ出力し、送信中の放送信号に前記放送局間制御データが入力されず前記音声モード切り換え情報が無い場合、予め切り換え前に送信していた放送信号の前記放送局間制御データに含まれるトリガ信号を読み出し、前記番組送出情報による番組切り換えタイミングの前に前記トリガ信号が入力されるタイミングとの時間差を求めて設定したタイミングに、次番組への番組切り換えタイミングに先立って音声モード指定が無い音声モード切り換え信号を生成して前記符号化装置へ出力し、次番組への切り換えタイミングに新たに前記補助データ抽出手段から入力される音声モード切り換え情報のカレントモードの音声モードを指定した音声モード切り換え信号を生成して前記符号化装置へ出力する制御を行う
ことを特徴とする音声モード制御システムの音声モード切り換え方法。
【発明の詳細な説明】
【技術分野】
【０００１】
本発明は、放送信号の円滑な音声モード切り換えを行う音声モード制御システム、および音声モード切り換え方法に関する。
【背景技術】
【０００２】
商業放送では、番組編成（プログラム）のコンテンツの切り換えに応じて放送信号が切り換えられるが、切り換えタイミングでのフィールドの欠落を防ぎ雑音や映像の乱れが生じないようフレーム間のタイミング調整が行われる。この様な、切り換えタイミングを制御する方法として、社団法人電波産業会の標準規格「補助データパケット形式で伝送される放送局間制御信号の構造（ＡＲＩＢ  ＳＴＤ―Ｂ３９）」に規定される補助データに含まれるカウントダウン情報を用いて、切り換えタイミングを制御するフレームシンクロナイザの制御方法がある（例えば、特許文献１。）。
【０００３】
上記技術は、主に視覚的な不具合を防ぐ方法であるが、番組のコンテンツに応じてステレオ、モノラルなど数種の音声モードも映像表示と合わせて切り換えられる。
【０００４】
図５は、ＡＲＩＢ  ＳＴＤ―Ｂ３９に規定される放送局間制御信号の構成を示す図である。  
図５において、音声モードについては、現在の音声モードを示すカレント音声モードａ、次に出力するコンテンツ音声モードを示すネクスト音声モードｂ、および音声モードが切り換えられるまでのタイミング情報として音声モードカウントダウンｃ（以下、カウントダウン情報と省略する。）が設けられている。
【０００５】
そして、音声モードの切り換え手段は、ネクスト音声モードとカウントダウン情報とを利用して音声信号符号化装置（以下、ＥＮＣと省略する。）へ切り換えに先立ち事前調整をすることにより音声モード切り換えをスムーズに実行することが出来る。
【０００６】
図６は、放送局のスタジオ設備における従来の音声モード制御システムの機能構成を説明する機能ブロック図である。  
図６において、放送信号を送信する発局が主局、受局が地方局を例としている。受け局、即ち地方局の音声モード制御システムは、制御部２００と、放送されるコンテンツ（番組信号）、例えば、主局から伝送されるＨＤ、ＳＤ信号から補助データである放送局間制御信号（以下、ＶＡＮＣデータと呼ぶ。）を抽出して制御部２００へ出力するＶＡＮＣ抽出部１とを備える。
【０００７】
制御部２００は、コンテンツ切り換えを始めとする番組信号の送出を制御するマスター設備のＳＣＰ（Ｓｃｈｅｄｕｌｅ  Ｃｏｎｔｒｏｌ  Ｐｒｏｃｅｓｓｏｒ）３から番組送出情報が入力され、スイッチャ４と符号化装置（ＥＮＣ）５へそれぞれスイッチ制御信号、音声モード切り換え信号が出力される。
【０００８】
そして、ＳＣＰ３と制御部２００とは、スタジオ設備の各構成が局内で同期して動作するための基準となる局内時計６に従って、スイッチャ４とＥＮＣ５に対する制御処理を行う。局内時計６の時刻情報は、図示されないネットワークを介して各装置へ伝えられるか又は、定期的に所定の方法により局内時計６と各装置の内部時計との間で時刻合わせが行われる。
【０００９】
ＶＡＮＣ抽出部１は、スイッチャ４を介して入力される、例えば、主局からのコンテンツ（番組信号）のＨＤ、ＳＤ信号からＶＡＮＣデータを抽出して制御部２００へ出力する。制御部２００は、ＶＡＮＣデータ中のカレント音声モード、ネクスト音声モードと、カウントダウン情報とを判読する。そして、制御部２００のＲＴＰ２１０が、ＳＣＰ３から入力される番組送出情報によりスイッチ制御信号を生成してスイッチャ４のコンテンツ切り換えを行う。また、カレント音声制御部２２０がＶＡＮＣ抽出部１から入力されるＶＡＮＣデータから音声モード制御信号を生成してＥＮＣ５へ出力して音声モード制御を行う。
【００１０】
しかし、例えば、主局からのネット番組放送中に地方局が広告番組のコンテンツを独自に挿入する場合、挿入されるコンテンツには、次の放送信号に係わるＶＡＮＣデータが付与されていなのでネット番組への復帰時に、音声モード制御システムでは、主局から送信されるコンテンツの音声モードが分からない。言い換えれば、カレント音声モードの動作時にネクスト音声モード情報やカウントダウンが無いまま、いきなり音声モードが切り換えられることになる。その結果、音声モード切り換えの事前調整が出来ないので、切り換え時にＥＮＣ５から出力される音声出力に不自然さが生じる遅延時間が発生する。
【００１１】
この様に従来、カレント音声モードで、カウントダウン情報が無い音声信号を送出する場合、音声モードの切り換えが円滑でない問題があった。
【特許文献１】特開２００４−３１２４２８号公報  （第８頁、第１図）
【発明の開示】
【発明が解決しようとする課題】
【００１２】
従来、受け局側で、発局側と異なったタイミングで放送局間制御データを使用し、カレント音声モードでカウントダウン情報が無い音声信号を送出する場合、事前調整が出来ず音声モードの切り換えが円滑でない問題があった。
【００１３】
本発明は、上記問題を解決するためになされたもので、カレント音声モード信号でカウントダウン情報が無い放送信号の音声モードの切り換えを円滑にする音声モード制御システム、および音声モード切り換え方法を提供することを目的とする。
【課題を解決するための手段】
【００１４】
上記目的を達成するために、本発明の音声モード制御システムは、発局から伝送されるデジタル放送の放送信号を受信し、前記受信する放送信号から放送局間制御データを抽出して出力する補助データ抽出手段を備え、その抽出される放送局間制御データと予め定められた番組送出情報とを参照することにより、番組の切り換えタイミングにスイッチャ、符号化装置を制御して送信する放送信号の音声モードを切り換えて送信器へ向けて出力する音声モード制御システムにおいて、前記補助データ抽出手段から前記放送局間制御データが入力され、そのうち音声信号のカレントおよびネクスト音声モード、カウントダウンの音声モード切り換え情報を出力する第１の制御手段と、前記番組送出情報によりスイッチ制御信号を生成して前記スイッチャの切り換えタイミングを制御するとともに前記第１の制御手段から入力される前記音声モード切り換え情報と前記番組送出情報とを参照し、送信中の放送信号が、前記音声モード切り換え情報が入力されている場合、その音声モード切り換え情報に従って、音声モード切り換え信号を生成して前記符号化装置へ出力し、前記第１の制御手段から前記音声モード切り換え情報が入力されない場合、予め前記第１の制御手段を介して切り換え前に送信していた放送信号の前記放送局間制御データに含まれるトリガ信号を読み出し、前記番組送出情報による番組切り換えタイミングの前に前記トリガ信号の入力されるタイミングとの時間差を求めて設定したタイミングに、次番組への番組切り換えタイミングに先立って音声モード指定が無い音声モード切り換え信号を生成して前記符号化装置へ出力し、次番組への切り換えタイミングに新たに前記第１の制御手段から入力されるカレントモードの音声モードを指定した音声モード切り換え信号を生成して前記符号化装置へ出力する第２の制御手段とを備える制御部とを具備することを特徴とする。
【００１５】
また、本発明の音声モード制御システムの音声モード切り換え方法は、発局から伝送されるデジタル放送の放送信号を受信し、前記受信する放送信号から放送局間制御データを抽出して出力する補助データ抽出手段と、音声モード切り換え制御を行う制御部とを備え、その抽出される放送局間制御データと予め定められた番組送出情報とを参照することにより、番組の切り換えタイミングにスイッチャ、符号化装置を制御して送信する放送信号の音声モードを切り換えて送信器へ向けて出力する音声モード制御システムの音声モード切り換え方法において、前記制御部は、前記番組送出情報によりスイッチ制御信号を生成して前記スイッチャ切り換えタイミングを制御するとともに前記放送局間制御データが入力され、それに含まれる音声信号のカレントおよびネクスト音声モード、カウントダウンの音声モード切り換え情報を読み出し、前記読み出した前記音声モード切り換え情報と前記番組送出情報とを参照し、送信中の放送信号に前記補助データが入力され、前記音声モード切り換え情報がある場合、その音声モード切り換え情報に従って、音声モード切り換え信号を生成して前記符号化装置へ出力し、送信中の放送信号に前記放送局間制御データが入力されず前記音声モード切り換え情報が無い場合、予め切り換え前に送信していた放送信号の前記放送局間制御データに含まれるトリガ信号を読み出し、前記番組送出情報による番組切り換えタイミングの前に入力される前記トリガ信号タイミングとの時間差を求めて設定したタイミングに、次番組への番組切り換えタイミングに先立って音声モード指定が無い音声モード切り換え信号を生成して前記符号化装置へ出力し、次番組への切り換えタイミングに新たに前記補助データ抽出手段から入力される音声モード切り換え情報のカレントモードの音声モードを指定した音声モード切り換え信号を生成して前記符号化装置へ出力する制御を行うことを特徴とする。
【発明の効果】
【００１６】
本発明によれば、カレント音声モード信号でカウントダウン情報が無く送出される音声信号の音声モードの切り換えを円滑にする音声モード制御システムおよび音声モード切り換え方法を提供することが出来る。
【発明を実施するための最良の形態】
【００１７】
以下、図面を参照して本発明の実施例を説明する。
【実施例】
【００１８】
図１は、本発明の実施例に関わる音声モード制御システムの機能ブロック図である。  
図１において、受局における音声モード制御システムは、発局から伝送されるＳＤ、ＨＤの放送信号から、局間制御信号を抽出するＶＡＮＣ（補助信号）抽出部１、制御部２を備え、制御部２には、放送信号を構成する番組信号を送出するマスター設備のＳＣＰ（Ｓｃｈｅｄｕｌｅ  Ｃｏｎｔｒｏｌ  Ｐｒｏｃｅｓｓｏｒ）３とスイッチャ４と符号化装置（ＥＮＣ）５とが接続される。また、スタジオ設備の各構成が局内で同期して動作するための基準となる局内時計６に従って、音声モード制御システムも動作する。
【００１９】
制御部２には、コンテンツ切り換えを始めとする番組信号の送出を制御するマスター設備のＳＣＰ（Ｓｃｈｅｄｕｌｅ  Ｃｏｎｔｒｏｌ  Ｐｒｏｃｅｓｓｏｒ）３、スイッチャ４と、符号化装置（ＥＮＣ）５とが接続され、スタジオ設備の各構成が局内で同期して動作するための基準となる局内時計６を備えている。
【００２０】
制御部２は、図６に示される制御部２００に類似しているが、ＲＴＰ２１とカレント音声制御部２２との動作が異なり、カレント音声モードで動作している場合にカウントダウン情報が無くても音声モード切り換えが円滑に実行出来る。
【００２１】
図６における従来の制御部２００でＲＴＰ２１０とカレント音声制御部２２０との間に接続が無く、カレント音声制御部２２０からＥＮＣ５へ音声モード制御信号が出力されているが、図１の制御部２では、ＲＴＰ２１とカレント音声制御部２２との間が接続され、その代わりにカレント音声制御部２２からＥＮＣ５へ音声モード制御信号が出力されておらず、ＲＴＰ２１からＥＮＣ５へ音声モード制御信号が出力されている以外は同様である。
【００２２】
以下、初めに従来の制御部２００の動作を説明し、続いて本発明の実施例による制御部２の動作を説明する。
【００２３】
図６に戻る。図６の音声モード制御システムにおいて、ＳＣＰ３は、上位のデータベースから供給される番組進行表に従って、所定の時刻に送出するコンテンツを切り換える制御や、音声モード切り換えの制御データ等を含む番組送出情報を制御ラインを介して制御部２００へ出力する。
【００２４】
制御部２００は、ＳＣＰ３からの番組送出情報を受信してスイッチャ４へ所定の番組の音声信号を選択するスイッチ制御信号とＥＮＣ５へ音声モードを指定する音声モード制御信号とを生成して出力するＲＴＰ２１０と、カレント音声モード運用時にＶＡＮＣ抽出部１から入力されるカレント音声モードのデータからＥＮＣ５へ音声モード制御信号とを生成して出力するカレント音声モード制御部２２０とを備えている。
【００２５】
スイッチャ４でのコンテンツやＥＮＣ５での音声モードの切り換えタイミングは、ＳＣＰ３からＲＴＰ２１０へ入力された番組送出情報から、ＲＴＰ２１０が時刻に対応してコンテンツ送出装置や、音声モード制御等の動作に関わる設定条件をイベントタイムテーブルＴとして記憶し、局内時計６の時刻情報を参照して制御処理を行う。
【００２６】
ＥＮＣ５は、ＲＴＰ２１０、又はカレント音声モード制御部２２０からの音声モード制御信号に従って、スイッチャ４から入力される音声信号を符号化し、多重装置等（図示せず。）の送信設備へ向けて出力する。音声モードは、ステレオ、モノラル、外国語等の幾つかのモードがある。
【００２７】
通常ＥＮＣ５では、音声モードは、カレント音声モード制御部２２０から出力される音声モード制御信号によって切り換えられるが、ＲＴＰ２１０がＥＮＣ５へ出力する場合もある。どちらからの音声モード制御信号によるかは、ＳＣＰ３からＲＴＰ２１０へ入力される番組送出情報で規定され、イベントタイムテーブルＴにも記憶される。
【００２８】
一方、スイッチャ４は、ＲＴＰ２１０の制御に従い、局内時計６の時刻を基準とする所定の切り換えタイミングで、図示されない複数のコンテンツ送出装置から入力されるコンテンツの音声信号、例えば、ネットワークを介して入力される主局からの音声信号を選択してＥＮＣ５へ出力する。また、スイッチャ４からは、主局からのコンテンツ信号であるＨＤ、又はＳＤ信号がＶＡＮＣ抽出部１へも選択されて出力される。
【００２９】
基本的には、ＶＡＮＣ抽出部１で音声モードがＨＤ信号等から抽出、判読され、判読された音声モードは、ＲＴＰ２１０、カレント音声モード制御部２２０へ通知される。そして、カレント音声モード制御部２２０から音声モードがＥＮＣ５に設定されるが、コンテンツ差し換え時などには、ＳＣＰ３から予め指定された音声モードが直接ＲＴＰ２１０によって設定される場合もある。
【００３０】
従来、音声モード制御システムでは、主局からのコンテンツを送出して放送する場合、イベントタイムテーブルＴに記憶されたタイミングにコンテンツを切り換えるスイッチ制御信号がＲＴＰ２１０からスイッチャ４に出力される。
【００３１】
また、音声モードが変更される場合には、ＶＡＮＣ抽出部１からカウントダウン情報が、カレント音声モード制御部２２０とＲＴＰ２１０とに入力される。そして、ＶＡＮＣ抽出部１から入力されるカウントダウン情報からネクスト音声モードで指定された音声モードへ切り換えられるタイミングがスイッチャ４でのコンテンツの切り換えタイミングに揃う様に事前調整が行われる。
【００３２】
以上の事前調整によりＥＮＣ５では、コンテンツ切り換えに伴う音声モードの変更が有ってもカウントダウンによりコンテンツの切り換えと音声モードの切り換えタイミングが一致するのでスムーズに次の音声モードに切り替わる。
【００３３】
一方、地方局で独自の広告番組を主局からの全国ネット番組送出中に差し替える例の如く、コンテンツ切り換え時にネクスト音声モードの指定やカウントダウン情報が与えられずにカレント音声モードの指定のみで音声モードが切り換えられる場合がある。
【００３４】
図２は、番組差し換えの概念図である。  
図２において、全国ネット番組では、番組＃１と番組＃２との間（時刻ｔ１〜ｔ４）をＡ〜Ｃ社の３社の連続した広告が放送されている。ところが、ある地方局では、時刻ｔ２とｔ３との間のＢ社の広告の放送タイミングに、当該地方のＤ社の広告放送に差し替える場合がある。なお、図２においてタイミングｔｇは、後で詳述するトリガ信号の出力タイミングである。
【００３５】
図３は、従来の音声モード制御システムにおける放送の一部を差し換える場合の音声切り換えに関わるイベントタイムテーブルの１例である。  
図３において、イベントタイムテーブルＴの時刻欄に記されたｔ−ｎ〜ｔ４等のタイミングでイベント（制御処理操作）が発生することを示している。大別してコンテンツの切り換えを行うスイッチャ４に関わるイベントと、ＥＮＣ５に関わるイベント（制御項目）とが示されている。
【００３６】
スイッチャ４に関わる項目として送出されるコンテンツ名、ＶＡＮＣ抽出部１に入力される信号として「ＶＡＮＣ入力」欄、ＥＮＣ５へ送出する信号として「ＥＮＣ音声」欄がある。また、「モード制御」欄は、ＥＮＣ５の音声モード制御を行うのが、カレント音声モード制御部２２０か、ＲＴＰ２１０なのかを示し、「モード設定」欄は、ＳＣＰ３がＲＴＰ２１０によって音声モード制御（設定）を行う場合の音声モードが示される。
【００３７】
時刻ｔ−ｎ以降の時間では、スイッチャ４を介してＶＡＮＣ抽出部１に主局からのＨＤ信号が入力され、Ｘ社広告やスポーツ中継が行われている。そして、音声モード制御は、カレント音声モード制御部２２０が行うので、「モード設定」欄には、無効を意味する「ＮＡ」が記憶されている。
【００３８】
以下、イベントタイムテーブルＴに記載されていない条件を含めて、差し換えに関わる条件を説明する。即ち、時刻ｔ１直前では、例えば、カレント音声モードとしてステレオが設定され、時刻ｔ１〜ｔ２のＡ社広告放送にあたるネクスト音声モードとしてモノラルが設定されている。
【００３９】
時刻ｔ２直前では、カレント音声モードとしてモノラル、時刻ｔ２〜ｔ３のＢ社広告放送にあたるネクスト音声モードは、ステレオが設定されているとする。そして、時刻ｔ３直前では、カレント音声モードとしてステレオ、時刻ｔ３〜ｔ４のＣ社の広告放送ネクスト音声モードとしてモノラルが設定されているとする。また、時刻ｔ２〜ｔ３に差し換えるＤ社広告は、ステレオで放送するものとする。
【００４０】
前述の如く、スイッチャ４とＥＮＣ５の制御条件設定が、イベントタイムテーブルＴに記憶されている。即ち、時刻ｔ２迄は、ＶＡＮＣ抽出部１へスイッチャ４経由で主局から全国ネット放送のＨＤ信号が入力され、ＥＮＣ５にもスイッチャ４からその音声信号として「主局音声」が入力される。また、ＥＮＣ５への音声モード制御信号は、カレント音声モード制御部２２０が出力することが「モード制御」欄に「Ｃ制御部」として記憶されている。
【００４１】
ローカル局で、時刻ｔ２〜ｔ３で、Ｂ社広告番組（放送）をＤ社の広告番組に差し替えを行う。そこで時刻ｔ２では、スイッチャ４からＥＮＣ５へのコンテンツ出力が「Ｄ社広告」と、「ローカル音声」になるとともに、ＶＡＮＣ抽出部１への入力が無いことを意味する「ＮＡ」が記憶されている。また、ＲＴＰ２１０が音声モードを切り換えることが「モード制御」欄に「ＲＴＰ」として記憶され、「モード設定」欄に音声モードがステレオであることを意味する「Ｓ」が記載されている。
【００４２】
また、時刻ｔ３では、本来の主局からのＨＤ信号に記載されたＶＡＮＣデータによって音声モードが制御されることになる。従って、カレント音声モード制御部２２０が音声モードを切り換えることが「モード制御」欄に「Ｃ制御部」として記憶されている。そして、ＲＴＰ２１０から音声モードを切り換えないので「モード設定」欄に音声モードは、「ＮＡ」が記載されている。
【００４３】
次に、従来の差し換え処理におけるカレント音声モード制御部２１０の動作について、説明する。カレント音声モード制御部２１０は、ＶＡＮＣデータを判読し、時刻ｔ２まではモノラル音声モードで音声信号を送出するようＥＮＣ５を制御する。そして、時刻ｔ２にスイッチャ４が、ＲＴＰ２１０によってローカル局からのスイッチング制御によってＤ社の広告放送のコンテンツに切り換え、音声信号がＤ社の広告放送の音声に切り換えられるのと同期して、音声モードもモノラルからステレオへ切り換えられる。
【００４４】
時刻ｔ２になると、カレント音声モード制御部２１０は、ＶＡＮＣ抽出部１を介してスイッチャ４からのＨＤ信号が来なくなるので、ネクスト音声モードの情報、およびカウントダウン情報が受信出来ないのでアイドリング状態となる。
【００４５】
そして時刻ｔ３になると再び元の主局からのＨＤ信号をＶＡＮＣ抽出部１へ入力することと、主局からのＣ社広告放送の音声信号がＥＮＣ５へ入力されるようにスイッチャ４が切り換え動作を行う。カレント音声モード制御部２１０は、ＶＡＮＣ抽出部１を介してＣ社の広告放送の音声出力モードがモノラルであることを示すカレント音声モード情報を受信する。
【００４６】
そこで、カレント音声モード制御部２１０は、カレント音声モードがモノラルであることを判読次第、ＥＮＣ５へ音声モードをステレオからモノラルへ切り換える音声モード制御信号を生成して出力する。しかし、ＥＮＣ５が音声モードを判読してから、音声モード制御信号を生成して出力する処理時間が、例えば、数１００ｍｓｅｃ要することから、Ｃ社の広告放送へ切り換えられたタイミングから遅れて音声モードが切り換わることとなる。そして、雑音や、モードの違いによる不自然さなどが生じてしまうことになる。
【００４７】
本発明の実施例では、以下の如く、差し換え後に元の主局からのＣ社の広告放送の音声信号に切り換える際のタイミングに合わせて音声モードを切り換える。
【００４８】
図４は、本発明の実施例に関わる放送の一部を差し換える場合の音声切り換えに関わるイベントタイムテーブルＴＴの１例である。  
図４のイベントタイムテーブルＴＴは、ＥＮＣ５の音声モードの切り換えをカレント音声モード制御部２２が直接行うのではなく、ＲＴＰ２１を介して行う様にしているので「モード制御」の欄が、全てＲＴＰとなっている。また、カレント音声モードでは、関連と音声モード制御部２２からＲＴＰ２１へカレント音声モードが通知され、その通知された音声モードを設定する音声モード制御信号がＲＴＰ２１からＥＮＣ５へ出力される以外、制御部２の動作は図３のイベントタイムテーブルと同様である。
【００４９】
再び図１へ戻る。図１において、カレント音声モード制御部２２は、カレント音声モード情報をＲＴＰ２１へ出力する。ＲＴＰ２１は、元来スイッチャ４を所定の時刻でコンテンツを切り換えているのでこの切り換えタイミングに合わせて、音声モードも切り換えれば良い。時刻ｔ２では、ＲＴＰ２１は、次に切り換えられる音声モードをＳＣＰ３によってステレオ「Ｓ」として設定されているので従来通り、Ｄ社の広告放送の音声信号の音声モードへも円滑に切り換えられる。
【００５０】
時刻ｔ３になると、主局からのネット放送の音声信号に合わせた音声モードに合わせた音声モード制御をしなければならならず、ネクスト音声モードが不明でカウントダウン情報が無いことも、従来と同様な条件である。特に、時刻ｔ３については、局内時計を基準にしてＳＣＰ３やＲＴＰ２１が時刻同期を取っていても、音声切り換えタイミングは、映像のフレーム切り換えに従属して切り換えられないので、独立した切り換えタイミング制御が必要である。
【００５１】
さて、差し換えを行う以前のＡ社〜Ｃ社への各広告放送を切り換えるタイミングは、ＳＣＰ３からの番組送出情報によりＲＴＰ２１では、既知であり、ＲＴＰ２１は、そのタイミングで、放送の差し換えと音声モードの切り換えを待機する。
【００５２】
図５に戻ると、局間制御信号には、トリガ信号ｄが、準備されている。このトリガ信号ｄは、放送番組の切り換えに先立って所要のタイミングで出力される。そこで、本実施例では、このトリガ信号を音声モード切り換えタイミング予報として利用する。つまり、ＲＴＰ２１は、コンテンツ切り換えのスイッチング時刻が分かるので、予めその時刻に先駆けて音声モード切り換え信号を出力することが可能である。
【００５３】
図２において、ＲＴＰ２１は、ＶＡＮＣ抽出部１から局間制御信号を受信しているので、番組＃１の放送中にトリガ信号ｄがタイミングｔｇに出力されてからタイミングｔ１にＡ社広告に切り替わる。
【００５４】
そこで、本実施例のＲＴＰ２１は、この両者の時間差、即ち、放送切り換えタイミングに先駆けてトリガ信号ｄｇが出力される時間差を記憶しておき、次の音声モードが不明であっても、ＲＴＰ２１は、スイッチング時刻（ここでは、ｔ３）に先駆けて、タイミングｔｇで音声モード制御信号のモード指定をしないまま、ＥＮＣ５へ、音声モード制御信号を出力する。
【００５５】
ＥＮＣ５は、この音声モード制御信号が入力されると、モード切替処理を開始し、どのモードを選んで出力するかの、モード指定待ちの状態になる。そして、スイッチャ４からＨＤ信号がＶＡＮＣ抽出部１へ再入力されると、ｔ３以降のカレント音声モードの情報、がＶＡＮＣ抽出部１からカレント音声モード制御部２２を経てＲＴＰ２１へ入力される。そして、直ちに、そのモード指定をする音声モード制御信号がＲＴＰ２１からＥＮＣ５へ出力され、ＥＮＣ５は、その指定されたモードの音声信号を出力する。
【００５６】
ＥＮＣ５では、従来の音声モードを判読してから音声モード制御信号を生成して出力するのに比べて、遅延時間が１０分の１以上短い音声モード切り換えが実行され、聴感上音声の遅れが気になる１００ｍｓｅｃ以下の遅延時間である円滑な音声モード切替が行われる。
【００５７】
以上説明した如く本発明の、実施例では、タイミングｔ２以降にローカル局が音声信号を出力している間も、ＲＴＰ２１は、局間制御信号のトリガ信号ｄを利用することによって、カウントダウン情報を用いる場合と同様に、時刻ｔ３になって放送を切り換える場合も円滑な音声モード切り換えをすることが出来る。
【図面の簡単な説明】
【００５８】
【図１】本発明の実施例に関わる音声モード制御システムの機能ブロック図。
【図２】番組差し換えの概念図。
【図３】従来の音声モード制御システムにおける放送の一部を差し換える場合の音声信号切り換えのイベントタイムテーブルの１例。
【図４】本発明の実施例の音声モード制御システムに関わる放送の一部を差し換える場合の音声信号切り換えのイベントタイムテーブルＴＴの１例。
【図５】ＡＲＩＢ  ＳＴＤ―Ｂ３９に規定される放送局間制御信号の構成を示す図。
【図６】従来の音声モード制御システムの機能構成を説明する機能ブロック図。
【符号の説明】
【００５９】
１  ＶＡＮＣ抽出部
２  制御部
２１  ＲＴＰ
２２  カレント音声モード制御部
３  ＳＣＰ
４  スイッチャ
５  ＥＮＣ
６  局内時計
ＴＴ  イベントタイムテーブル
【図１】
2008118564.tif 000003
【図２】
2008118564.tif 000004
【図３】
2008118564.tif 000005
【図４】
2008118564.tif 000006
【図５】
2008118564.tif 000007
【図６】
2008118564.tif 000008